(57)【要約】【課題】出庫バースにて退出できない車両の強制的な再入庫作業に係わる各車両の搬送を制御し、出庫効率の低下を最小限に抑えた機械式駐車場及びその制御方法を提供すること。【解決手段】再入庫させる第１の車両の再入庫ルートを導き出すとともに、該再入庫ルート上に存在する出庫車両及び前記第１の車両の再入庫作業を指示する再入庫制御部と、再入庫ルート上に存在しない他の出庫車両を認識して該他の出庫車両の出庫作業を継続して指示する出庫継続制御部とを備える制御装置を構成し、機械式駐車場の運用を制御することとした。【選択図】　　　図１
2004027541.tif 000002
【特許請求の範囲】
【請求項１】
車両の入出庫を行う入出庫バースと、車両を格納する複数の格納棚と、前記入出庫バースと前記各格納棚との間で車両を搬送する搬送機器とを備えた機械式駐車場において、
前記搬送機器及び前記各格納棚の稼動を制御する制御装置には、
再入庫させる第１の車両の再入庫ルートを導き出すとともに、該再入庫ルート上に存在する出庫車両及び前記第１の車両の再入庫作業を指示する再入庫制御部と、
前記再入庫ルート上に存在しない他の出庫車両を認識して該他の出庫車両の出庫作業を継続して指示する出庫継続制御部と
が備えられていることを特徴とする機械式駐車場。
【請求項２】
車両の入出庫を行う入出庫バースと、車両を格納する複数の格納棚と、前記入出庫バースと前記各格納棚との間で車両を搬送する搬送機器とを備えて構成された機械式駐車場の制御方法において、
再入庫させる第１の車両の再入庫ルートを導き出し、該再入庫ルート上の出庫車両及び前記第１の車両を再入庫させることと並行して、前記再入庫ルート上に存在しない他の出庫車両の出庫作業を継続して指示することを特徴とする機械式駐車場の制御方法。
【請求項３】
前記他の出庫車両の出庫ルートと、前記再入庫ルートとが重複する場合、前記再入庫ルートと前記出庫ルートとの重複ルートから前記第１の車両を離脱させた後に、前記他の出庫車両を前記重複ルートに進入させることを特徴とする請求項２記載の機械式駐車場の制御方法。
【発明の詳細な説明】
【０００１】
【発明の属する技術分野】
本発明は、車両を自動で格納庫に搬送し格納する機械式駐車場及びその制御方法に関する。
【０００２】
【従来の技術】
従来より用いられている機械式駐車場の一例として、図４の斜視図に示すような機械式駐車場１００について説明する。
図示の機械式駐車場１００は、車両１の入庫もしくは出庫を行う入出庫バース２，３と、入出庫バース２，３に対応して配置されるとともに車両１の昇降を行う各リフタ４，５（搬送機器）と、車両１が格納される棚状に形成された多数の格納棚６（「格納庫」とも言う。）と、各格納棚６と各リフタ４，５との間でレールＲ上を走行する台車７（搬送機器）とを少なくとも備えて構成されている。なお、台車７は格納棚６の各階層に少なくとも１つ備えられている。
【０００３】
各リフタ４，５及び台車７にはそれぞれモータ等の駆動機構が備わり、各リフタ４，５は上下方向に昇降可能とされ、台車７は各階層の格納棚６に沿って水平方向に移動可能とされている。
【０００４】
台車７には車両のホイールベースに合わせて設置されたスラットコンベア８（搬送機器）が備えられ、これと同様に、各格納棚６にも同様なスラットコンベア９（搬送機器）が備えられている。台車７側にはスラットコンベア８を動作させるモータ等の駆動機構が設けられ、格納庫６側には台車７側の駆動機構に連結する従動機構が設けられている。
【０００５】
台車７が所定の格納棚６の位置に移動すると、台車７側の駆動機構と格納棚６側の従動機構が連結され、台車７側の駆動機構の駆動により台車７側のスラットコンベア８と格納庫６側のスラットコンベア９とが同期して駆動し、格納棚６と台車７との間で車両１の移載が行われる。
【０００６】
なお、入出庫バース２，３及び各リフタ４，５にもスラットコンベア２ａ，３ａ，４ａ，５ａ（搬送機器）が設けられており、これら各スラットコンベア２ａ，３ａ，４ａ，５ａにおいてもモータ等の駆動機構によって駆動されるようになっている。
【０００７】
入出庫バース２，３には、格納する車両１を認識するためのカードリーダ１０や、車両形状を検出するセンサ（図示せず）等が設けられている。
カードリーダ１０に車両１の所有者を特定するカード（図示せず）を通すことにより、車両１が格納される格納棚６の関連付けが行われる。具体的に説明すれば、入庫する際に所有者または、管理者がカードを通すことで、空き状態の格納棚６の中で１つの格納棚６が選択され、この格納棚６に車両１が格納されることが記憶される。そして、車両１を出庫させる際には、先に記憶された所有者の車両１が格納された格納棚６が特定され、車両１が出庫バース５に搬送されることになる。
【０００８】
なお、各格納棚６には、それぞれの格納棚６を識別するための番地がつけられており、さらに、この番地を有する各格納棚６には、使用を優先させたい優先番号（記号とされる場合も含む。）が割り当てられている。優先番号は、全て異なる番号とは限らず、同一な番号の割り当てによって各格納棚６のグループ化を得ることも可能とされている。また、この優先番号は固定値とされた番地と異なり、変更することも可能な番号である。
そして、このような各格納棚６が有する優先番号及び番地の情報に基づいて、入庫する車両１が格納される所定の格納棚６が決定されたり、各格納棚６の識別や管理が行われたりしている。
【０００９】
実際に車両１を入庫バース２から格納棚６へと搬送する作業、及び格納棚６から出庫バース３に搬送する作業は、各リフタ４，５、各階層に備わる台車７、及び各スラットコンベア２ａ，３ａ，４ａ，５ａ，８，９等の搬送機器によって行われている。そして、これら搬送機器の動作は、機械式駐車場１００に備わる図示しない制御装置によって制御されている。
【００１０】
制御装置は、機械式駐車場１００の稼働状態を認識しつつ、機械式駐車場１００に備わる全ての機器の制御を行う回路構成の全体を指すものである。例えば、入庫する車両１を認識した後にどの搬送機器を用いてどの格納棚６に搬送するかを決定し、決定事項に基づいて各機器の動作を指示するとともに、各機器の稼働状態を取り込みながら制御を行っている。
【００１１】
【発明が解決しようとする課題】
さて、このような機械式駐車場において、車両の出庫時に、車両のエンジンの故障や、キーロック、運転者の不在等により、該車両が出庫バースから自走で退出することが不可能となる状況が希に発生することがある。なお、これ以降については上記車両を「問題車両」と称して説明するが、この問題車両は、本発明における出庫作業を終えた「第１の車両」を指すものである。
【００１２】
上記問題が発生すると、出庫バース上の問題車両に続く多数の出庫車両が機械式駐車場内で渋滞してしまうため、従来より問題車両、及びこれに続く出庫車両の全てを強制的に機械式駐車場内の格納棚に再入庫（以下、「強制再入庫」と言う。）させる方法がなされていた。
そして、問題車両の強制再入庫が完了した時点で、再び各出庫車両を格納棚から以前に決定された出庫順に呼び出して出庫作業を行っていた。
【００１３】
しかしながら、出庫車両の全てを一旦格納することによって、問題車両の再入庫ルートに干渉しない出庫車両までもが再入庫されてしまい、以前の出庫作業の状態に復帰するまでに多くの時間がかかっていた。これによって、出庫効率が著しく低下してしまい、機械式駐車場の運用に大きな影響を与え兼ねない状態であった。
【００１４】
また、問題車両を出庫バース上にてジャッキアップさせて出庫バースから移動させることで出庫作業を継続させる方法もあるが、多大な労力と時間を必要とするので、このような作業を除去するための解決策を講じることが望まれている。
【００１５】
本発明は上記事情に鑑みて成されたものであり、出庫バースにて退出できない車両の強制的な再入庫作業に係わる各車両の搬送を制御し、出庫効率の低下を最小限に抑えた機械式駐車場及びその制御方法を提供することを目的とする。
【００１６】
【課題を解決するための手段】
本発明は、上記課題を解決するため、以下の手段を採用することとした。
請求項１に記載の発明は、車両の入出庫を行う入出庫バースと、車両を格納する複数の格納棚と、前記入出庫バースと前記各格納棚との間で車両を搬送する搬送機器とを備えた機械式駐車場において、前記搬送機器及び前記各格納棚の稼動を制御する制御装置に、再入庫させる第１の車両の再入庫ルートを導き出すとともに、該再入庫ルート上に存在する出庫車両及び前記第１の車両の再入庫作業を指示する再入庫制御部と、前記再入庫ルート上に存在しない他の出庫車両を認識して該他の出庫車両の出庫作業を継続して指示する出庫継続制御部とが備えられていることを特徴としている。
【００１７】
このような構成により、出庫に係わる第１の車両が何らかの理由で再入庫させる必要が生じた場合、再入庫される第１の車両、及び、該第１の車両の再入庫における再入庫ルート上に存在する出庫作業中の出庫車両は、再入庫制御部の指示に基づいて所定の格納棚に格納される。そして、上記作業と並行するように、再入庫ルート上に存在しない出庫作業中の他の出庫車両は、出庫継続制御部の指示に基づいて再入庫されることなく出庫作業が継続して行われる。
【００１８】
請求項２に記載の発明は、車両の入出庫を行う入出庫バースと、車両を格納する複数の格納棚と、前記入出庫バースと前記各格納棚との間で車両を搬送する搬送機器とを備えて構成された機械式駐車場の制御方法において、再入庫させる第１の車両の再入庫ルートを導き出し、該再入庫ルート上の出庫車両及び前記第１の車両を再入庫させることと並行して、前記再入庫ルート上に存在しない他の出庫車両の出庫作業を継続して指示することを特徴としている。
【００１９】
出庫に係わる第１の車両が何らかの理由で再入庫させる必要が生じた場合、再入庫される第１の車両、及び、該第１の車両の再入庫における再入庫ルート上に存在する出庫作業中の出庫車両は所定の格納棚に格納される。そして、上記作業と並行するように、再入庫ルート上に存在しない出庫作業中の他の出庫車両は、再入庫されることなく出庫作業が継続して行われる。
【００２０】
請求項３に記載の発明は、請求項２記載の機械式駐車場の制御方法において、前記他の出庫車両の出庫ルートと、前記再入庫ルートとが重複する場合、前記再入庫ルートと前記出庫ルートとの重複ルートから前記第１の車両を離脱させた後に、前記他の出庫車両を前記重複ルートに進入させることを特徴としている。
【００２１】
出庫作業が継続される他の出庫車両は、再入庫する第１の車両が重複ルートから離脱した段階で重複ルートに進入する。つまり、重複ルートが存在する場合では、第１の車両の再入庫搬送が優先されて行われることになり、互いの車両を搬送する搬送機器が干渉したり重複したりすることが回避され、また、第１の車両の存在によって出庫作業が行き詰まったりすることがなくなる。
【００２２】
【発明の実施の形態】
次に、本発明に係る機械式駐車場の一実施形態について、図面を参照して説明する。
なお、本実施形態にて説明する機械式駐車場については、従来技術にて説明した図４の機械式駐車場１００の構成に基づいて説明するものとし、同様な構成については同一符号を用いてその説明を一部省略する。
【００２３】
機械式駐車場には、複数の格納棚の稼動状態、つまりは空き状態であるか車両を格納している状態であるかを認識しつつ、搬送機器の動作制御等を行って機械式駐車場の運用を制御する制御装置が設けられている。
この制御装置の構成及び作用について、図１を参照しながら説明する。
【００２４】
図１は機械式駐車場の制御回路を説明する図であって、本図に示される制御装置２０には以下に記載する各制御部が備えられている。
１つには、各リフタ４，５、台車７、スラットコンベア８（図４に示した符号２ａ，３ａ，４ａ，５ａ，９を含む）等の各搬送機器の動作を制御する運転制御部２１が備えられている。
また、入庫される各車両に応じて所定の格納棚６を選択する格納棚選択部２２が備えられている。
また、再入庫させる問題車両（第１の車両）の再入庫ルートを導き出すとともに、得られた再入庫ルート上に存在する出庫車両を所定の格納棚６に再入庫させつつ、問題車両の再入庫作業を指示する再入庫制御部２３が備えられている。
また、上記再入庫ルート上に存在しない出庫車両（他の出庫車両）を認識して、該出庫車両の出庫作業を継続して指示する出庫継続制御部２４が備えられている。
【００２５】
図に示すように、制御装置２０には各格納棚６から車両の格納等に関わる稼働状態の情報が入力されるとともに、カードリーダ１０や、精算機１１等にて得られた入庫や出庫に関わる情報が入力されている。
また、制御装置２０は、各リフタ４，５、台車７、スラットコンベア８（図４に示した符号２ａ，３ａ，４ａ，５ａ，９のスラットコンベアを含む。）等の動作における稼働状態の情報を入力するとともに、これら入力した情報に基づき、制御用の信号を運転制御部２１から各リフタ４，５等の搬送機器に出力している。
【００２６】
カードリーダ１０からの車両の入庫命令が制御装置２０に入力されると、制御装置２０では、カードリーダ１０、精算機１１、さらには、各格納棚６等から入力された各格納棚６の稼動情報が処理されて格納棚選択部２２に送られる。これと同時に制御装置２０では、使用する台車７等の選択が行われる。そして、運転制御部２１により各種の搬送機器の動作が制御されて入庫作業が行われることになる。
【００２７】
また、カードリーダ１０等からの車両の出庫命令が制御装置２０に入力されると、制御装置２０では、該車両が格納された格納棚６が識別されるとともに、使用する台車７や出庫リフタ５等の各搬送機器の選択が行われる。そして、運転制御部２１により各種の搬送機器の動作が制御されて出庫作業が行われることになる。
【００２８】
さて、出庫作業の際に、出庫バースにて問題車両が発生すると、管理者は出庫バースに設置されたカードリーダ１０のタッチパネル１０ａから強制再入庫の作業開始を指示する。
すると、制御装置２０の再入庫制御部２３と、出庫継続制御部２４とが機能して、これらの制御部にて決定された条件が運転制御部２１に送られる。そして、運転制御部２１からの出力信号に基づいて各種の搬送機器は動作し、再入庫の作業と出庫作業が行われることになる。
【００２９】
なお、タッチパネル１０ａには、従来の強制再入庫作業を行う第１再入庫モードと、出庫効率を優先する第２再入庫モードとが備えられている。そして、従来通りの第１再入庫モードが選択されると、再入庫作業を行うとともに、再入庫が完了した時点から出庫車両を正規の出庫順に出庫することを優先した出庫作業が行われる。
また、タッチパネル１０ａにて第２再入庫モードが選択されると、再入庫作業が行われることと同時に、出庫効率が優先された出庫作業が行われる。
【００３０】
上記第２再入庫モードが選択された場合における、再入庫制御部２３と出庫継続制御部２４とが機能した場合での制御装置２０内の制御の流れについて図２を参照しながら説明する。図２は第２再入庫モードにおける再入庫作業及び出庫作業での制御の流れを説明する流れ図である。
【００３１】
問題車両の強制再入庫が開始されると、制御装置２０内では出庫作業中の全車両の位置情報や搬送機器の使用情報等が処理され、強制再入庫する問題車両を元の格納棚に戻すか、あるいは別の空き格納棚に格納するかが選択される。なお、格納棚を選択する作業は、格納棚選択部によって決定され、出庫開始前に格納されていた元の格納棚であったり、出庫バースに近い格納棚等を選択する。
そして、選択された格納棚に基づいて、上述した再入庫制御部２３が強制再入庫の再入庫ルートを決定することになる。
【００３２】
さらに、再入庫制御部２３にて再入庫ルート上に出庫車両が存在しないことが判定されると、強制再入庫される問題車両は選択された格納棚に早急に再入庫されることになり、再入庫作業は終了する。
この際、再入庫ルート上に存在しない別の出庫車両は、出庫継続制御部２４からの指示の基づいて上記再入庫作業が行われている状態であっても出庫作業が継続して行われる。なお、出庫車両を搬送するための搬送機器が再入庫作業によって重複する場合、出庫作業の対象となる出庫車両は、出庫作業が継続された状態で一時的に待機する。
【００３３】
また、再入庫ルート上に出庫車両が存在していることが判定されると、再入庫制御部２３は、再入庫ルート上の出庫車両を上流側（格納棚に近い側、または、出庫命令が遅い側）から順に元の格納棚に戻すように指示を促し、最終的に問題車両の再入庫作業を指示することになる。
これと同時に、再入庫ルート上に存在しない別の出庫車両は、出庫継続制御部２４からの指示によって上記再入庫作業が行われている状態であっても出庫作業が継続して行われる。
【００３４】
また、出庫継続制御部２４は、上述のように再入庫作業を指示する再入庫制御部２３と並行して同時に機能することになるが、各出庫車両の出庫ルートと、再入庫ルートとの比較を行ってこれら各ルートどうしが重複する場合に、出庫作業の継続よりも再入庫作業を優先することとしている。つまり、問題車両の再入庫に係わる搬送を優先することで、互いの車両を搬送する搬送機器の重複、及び、出庫作業が行き詰まって出庫不可能となることを回避している。
【００３５】
以上説明した内容を踏まえて図３を参照しながら各車両の動きを具体的な例を挙げて説明する。なお、図３に示される機械式駐車場の部分側面図は、地下４階建てに構成された格納棚に１機の出庫リフタ５が備わり、且つ該出庫リフタ５に２つの出庫バース３Ａ，３Ｂが設けられた場合を示している。
【００３６】
図３（ａ）では、上層の出庫バース３Ａに再入庫を行う問題車両１ａがあり、既に出庫リフタ５上には次に出庫を待つ第１の出庫車両１ｂが待機している。また、その次に出庫命令がかかった第２の出庫車両１ｃは、出庫リフタ５を待つために格納棚の地下３階にて動作する台車７上で待機している。なお、第２の出庫車両１ｃは、下層の出庫バース３Ｂから出庫される予定とされている。
【００３７】
問題車両１ａの再入庫が開始されると、再入庫制御部２３は、格納棚選択部２２の情報に基づいて問題車両１ａを地下１階の格納棚に格納する再入庫ルートを決定する。そして、第１の出庫車両１ｂが問題車両１ａの再入庫ルート上に存在していることを認識し、この第１の出庫車両１ｂを実線の矢印に示すように以前に格納されていた地下１階の格納棚に格納するように指示する。これにより、第１の出庫車両１ｂは、出庫リフタ５に載置されたまま地下１階に向かい、この階の台車７に移載されて所定の格納棚に格納される。
【００３８】
第１の出庫車両１ｂを地下１階に降ろした出庫リフタ５が再び上層の出庫バース３Ａに戻ると、次に問題車両１ａが該出庫リフタ５に移載されて再び地下１階の台車７に移載される。これによって、問題車両１ａは所定の格納棚に格納される。
問題車両１ａが台車７に移載された段階で出庫リフタ５の使用が可能となるので、再入庫されずに出庫作業での待機状態とされた第２の出庫車両１ｃは、出庫リフタ５の到着に合わせて出庫作業が引き続き行われる。また、地下１階での第１の出庫車両１ｂの出庫作業も同時に行われる。
【００３９】
このような制御が行われることで、第２の出庫車両１ｃは再入庫による無駄な搬送が行われずに出庫作業が継続して行われることになる。つまり、問題車両１ａや再入庫ルート上に存在する出庫車両１ｂの再入庫作業中であっても出庫作業が行われることになり、出庫効率の向上が図られることになる。
【００４０】
なお、第２の出庫車両１ｃは、下層の出庫バース３Ｂから出庫されることとされているので、出庫リフタ５が問題車両１ａの搬送を行う前に第２の出庫車両１ｃを搬送することとしても良い。これによれば、出庫リフタ５の動作経路に無駄がなくなり、第２の出庫車両１ｃをより早急に出庫させることができる。
【００４１】
また、第２の出庫車両１ｃが問題車両１ａと同じ格納棚の階層に位置する場合であれば、第２の出庫車両も第１の出庫車両１ｂと同様に再入庫が行われる。そして、出庫の際は出庫順に即して出庫作業が行われる。
【００４２】
次に示す図３（ｂ）では、上層の出庫バース３Ａに再入庫を行う問題車両１ａがあり、出庫命令がかかった第１の出庫車両１ｂが、出庫リフタ５を待つために地下３階にて動作する台車７上で待機している。なお、第１の出庫車両１ｂは、問題車両１ａと同じ上層の出庫バース３Ａから出庫される予定とされている。
【００４３】
問題車両１ａの再入庫が開始されると、再入庫制御部２３は、格納棚選択部２２の情報に基づいて問題車両１ａを地下１階の格納棚に格納する再入庫ルートを決定する。そして、問題車両１ａの再入庫ルート上に出庫車両が存在していないことを認識し、問題車両１ａを実線の矢印に示すように所定の格納棚に格納するように指示する。
【００４４】
問題車両１ａが地下１階の台車７に移載された段階で出庫リフタ５の使用が可能となるので、再入庫されずに出庫作業での待機状態とされた第１の出庫車両１ｂは、出庫リフタ５の到着に合わせて出庫作業が引き続き行われ、上層の出庫バース３Ａから第１の出庫車両１ｂが出庫されることになる。
【００４５】
このような制御が行われることで、第１の出庫車両１ｂは再入庫による無駄な搬送が行われずに出庫作業が継続して行われることになる。つまり、問題車両１ａの再入庫作業中であっても出庫作業が行われることになり、出庫効率の向上が図られることになる。
【００４６】
さらに、図３（ｃ）では、上層の出庫バース３Ａに再入庫を行う問題車両１ａがあり、既に出庫リフタ５上には次に出庫を待つ第１の出庫車両１ｂが待機している。また、その次に出庫命令がかかった第２の出庫車両１ｃが、出庫リフタ５を待つために格納棚の地下１階にて動作する台車７上で待機している。
またさらに、第２の出庫車両１ｃの次に出庫命令がかかった第３の出庫車両１ｄが、地下４階の出庫リフタ５の近傍にて、この階を動作する台車７に載置されて待機している。
なお、第２の出庫車両１ｃは上層の出庫バース３Ａから出庫される予定とされ、第３の出庫車両１ｄは下層の出庫バース３Ｂから出庫される予定とされている。
【００４７】
問題車両１ａの再入庫が開始されると、再入庫制御部２３は、格納棚選択部２２の情報に基づいて問題車両１ａを地下１階の格納棚に格納することを決定する。そして、第１の出庫車両１ｂと第２の出庫車両１ｃとが問題車両１ａの再入庫ルート上に存在していることを認識し、この第１の出庫車両１ｂ及び第２の出庫車両１ｃを実線の矢印に示すように以前に格納されていた地下１階の格納棚に格納するように指示を促す。これにより、第２の出庫車両１ｃは台車７に載置されたまま先に所定の格納棚に格納され、さらに同じ台車７によって第１の出庫車両が出庫リフタ５から移載されて所定の格納棚に格納される。
【００４８】
第１の出庫車両１ｂを地下１階に降ろした出庫リフタ５が再び上層の出庫バース３Ａに戻ると、次に問題車両１ａが移載されて再び地下１階の台車７への移載が行われ、問題車両１ａは所定の格納棚に格納される。そして、問題車両１ａが台車７に移載された段階で出庫リフタ５の使用が可能となるので、再入庫されずに出庫作業での待機状態とされた第３の出庫車両１ｄは、出庫リフタ５の到着に合わせて出庫作業が引き続き行われる。また、地下１階での第１の出庫車両１ｂ及び第２の出庫車両１ｃの出庫作業も同時に行われる。
【００４９】
このような制御が行われることで、第３の出庫車両１ｄは再入庫による無駄な搬送が行われずに出庫作業が継続して行われることになる。つまり、問題車両１ａや再入庫ルート上に存在する出庫車両１ｂ，１ｃの再入庫作業中であっても出庫作業が継続されることになり、出庫効率の向上が図られることになる。
【００５０】
なお、第３の出庫車両１ｄは、下層の出庫バース３Ｂから出庫されることとされているので、出庫リフタ５が問題車両１ａの搬送を行う前に第３の出庫車両１ｄを搬送することとしても良い。これによれば、出庫リフタ５の動作に無駄がなくなり、より効率的な出庫作業が行われることになる。
【００５１】
以上説明した本実施形態における機械式駐車場によれば、出庫バース上で強制的に再入庫を必要とする問題車両が発生しても、再入庫ルートに存在しない出庫車両の出庫作業を継続して行えることになり、出庫効率の低下を最小限で抑えることが可能となる。
また、多数の出庫バース及びこれに対応する出庫リフタが備えられる場合、出庫ルートと再入庫ルートとの重複が少なくなるので、再入庫作業の際に出庫作業を継続する出庫車両の待機状態が削減されて出庫バースの設置個数に応じた効率の高い出庫作業を行うことができる。
【００５２】
【発明の効果】
以上説明した本発明の機械式駐車場及びその制御方法においては以下の効果を奏する。
請求項１記載の発明によれば、再入庫させる第１の車両の再入庫ルートを導き出すとともに、該再入庫ルート上に存在する出庫車両及び第１の車両の再入庫作業を指示する再入庫制御部と、再入庫ルート上に存在しない他の出庫車両を認識して該他の出庫車両の出庫作業を継続して指示する出庫継続制御部とを有する制御装置が機械式駐車場に備えられているので、再入庫の必要が生じた第１の車両の再入庫作業にて出庫作業中の出庫車両を必ずしも全て再入庫させる必要がなくなり、出庫可能な車両については、第１の車両の再入庫作業中であっても出庫作業を継続し行うことが可能となる。従って、第１の車両に再入庫の必要が生じても、出庫効率の低下を最小限に抑えて運用可能とされた機械式駐車場を実現することができる。
【００５３】
請求項２記載の発明によれば、再入庫させる第１の車両の再入庫ルートを導き出し、該再入庫ルート上の出庫車両及び第１の車両を再入庫させることと並行して、再入庫ルート上に存在しない他の出庫車両の出庫作業を継続して指示する機械式駐車場の制御方法とされているので、再入庫作業と出庫作業とが並行して行われることになり、再入庫が生じた場合でも出庫効率の低下を最小限に抑えて機械式駐車場を運用することができる。
【００５４】
請求項３記載の発明によれば、出庫ルートと再入庫ルートとが重複する場合、第１の車両を重複ルートから離脱させた後に、他の出庫車両を重複ルートに進入させる制御方法としているので、互いの車両の搬送において干渉することがなくなり、再入庫と出庫との両作業にて混乱を来すことなく確実且つ並行して両作業を行うことができる。
【図面の簡単な説明】
【図１】本発明の一実施形態における機械式駐車場の制御回路の全体構成を説明するブロック図である。
【図２】本発明の一実施形態における機械式駐車場の制御方法を説明する再入庫作業及び出庫作業での制御の流れを説明する流れ図である。
【図３】各車両の動きを具体的に説明する機械式駐車場の部分側面図である。
【図４】機械式駐車場の全体構成を説明する斜視図である。
【符号の説明】
１ａ　問題車両（第１の車両）
１ｂ，１ｃ，１ｄ　出庫車両
３　出庫バース
４，５　各リフタ（搬送機器）
６　格納棚
７　台車（搬送機器）
１０　カードリーダ
１０ａ　タッチパネル
１１　精算機
２０　制御装置
２１　運転制御部
２２　格納棚選択部
２３　再入庫制御部
２４　出庫継続制御部
【図１】
2004027541.tif 000003
【図２】
2004027541.tif 000004
【図３】
2004027541.tif 000005
【図４】
2004027541.tif 000006